(57)【要約】      （修正有）【課題】濡れた傘に手を触れることなく簡単に出し入れ出来、携帯に便利でおしゃれな傘カバーを提供する。【解決手段】傘カバーＡは、裏生地に吸水性のある布と、表生地に撥水、または防水性のある布地を縫い合わせるという形か、または、防水性に優れ、且つ速乾性に富む生地の一枚仕立ての形で円筒状に形成され、円筒状の両端は開口され、傘カバーＡとして装着した場合において、傘柄側の開口部を手元開口部１と称し、傘先側の開口部を先方開口部２と称するが、手元開口部１及び、先方開口部２のそれぞれの縁端から、少し内側の辺りに伸縮性ゴム紐６で絞り部を設け、手元開口部１側を手元絞り部３と称し、先方開口部２側を先方絞り部４と称するのであるが、手元絞り部３の近傍にひっかけ紐輪５を設ける。【選択図】図１
0003193510.tif 000002
【実用新案登録請求の範囲】
【請求項１】
裏生地に吸水性のある布と、表生地に撥水、または、防水性のある布地を縫い合わせるという形か、または、防水性に優れ、且つ速乾性に富む生地の一枚仕立ての形で円筒状に形成され、円筒状の両端は開口され、傘カバーとして装着した場合において、傘柄側の開口部を手元開口部と称し、傘先側の開口部を先方開口部と称するが、手元開口部及び、先方開口部のそれぞれの縁端から、少し内側の辺りに伸縮性の絞り部を設け、手元開口部側を手元絞り部と称し、先方開口部側を先方絞り部と称するのであるが、手元絞り部の近傍にひっかけ紐輪を設け、円筒状の布の開口部と絞り部からなることを特徴とする傘カバー。
【考案の詳細な説明】
【技術分野】
【０００１】  本考案は、出し入れしやすく見た目もおしゃれで、実用的な傘カバーに関するものである。
【背景技術】
【０００２】  従来、雨に濡れた傘をまとめる時には、濡れた傘に手を触れながら、傘の布をくるくると巻き、傘本体に付いているネームバンドで留めなければならない。
本体とセットになっている傘カバーは、濡れている状態には使用しづらく、携帯する事もほとんどない。
市販されている傘カバーは、内部に濡れた傘からの水滴がたまり、その水を処理する事が必要となるものもある。
電車などに乗った場合には、濡れた傘が、自分や他人の体や衣服に触れ不快である。
この様な問題を解決するために様々な傘カバーが提案されている。
例えば、出し入れしやすいようにオープンファスナーを付けたもの（特許文献１参照）、カバーを紛失しないように、傘本体に付けておくことができるもの（特許文献２参照）、傘の水滴を吸収できるもの（特許文献３参照）などがある。
【先行技術文献】
【特許文献】
【０００３】
【特許文献１】  特開２００９−２４７８４９号公報
【特許文献２】  特開２００１−３３３８１１号公報
【特許文献３】  特開平０７−００８３１３号公報
【考案の概要】
【考案が解決しようとする課題】
【０００４】  濡れた傘をたたむ作業は、作業自体単純であっても一手間である。
手が濡れるため、手をハンカチで拭いたり、特に手袋をしている寒い冬などは、手袋に染みたり、わざわざ手袋を外したりしなければならず、大変な思いをする。
また、濡れた傘が、体や衣服などに触れると、とても不快である。
それらを、解決するために、傘カバーを使用したいが、現存の傘カバーには次のような問題点があった。
ア）傘と共布で作られている傘カバーは、サイズがほとんど傘と同じで、装着させづら    く、また、一度使うと湿ってしまい、湿ったカバーを持ち歩くのも、再度傘へ装着す    るのも大変である。
イ）建物の入り口などに設置されているビニール袋の傘カバーは、とても便利であるが    、使い捨てであり、不経済である。
ウ）特許文献１において、使用後カバーを折りたためるとあるが、長傘の長さ分の布に    ファスナーが付いているのでたたみづらく、また、傘カバー使用時はファスナーを閉    め、更に留め紐で巻いてボタンを留めるので手間がかかる。取り出す時も同様にボタ    ンをはずして、ファスナーを開けるので、指先を使わなければならない。
エ）特許文献２において、傘の柄の部分からカバーを被せるのは、傘の骨の先端をまと    めながら挿入するので装着させづらい。
オ）特許文献３において、カバー底の部分が縫い込まれて閉じられている形状のため傘    の長さに合わないこともある。また、吸収した水分の重さで抜け落ちてしまう可能性    もある。更に、ジッパーをつけている場合、小さく折りたたむ事は困難なので携帯に    は適さない。
本考案は、以上の問題点を解決するものである。
【課題を解決するための手段】
【０００５】  本考案は前記課題を達成するために、裏生地に吸水性のある布と、表生地に撥水、または、防水性のある布地を縫い合わせるという形か、または、防水性に優れ、且つ速乾性に富む生地の一枚仕立ての形で円筒状に形成され、円筒状の両端は開口され、傘カバーとして装着した場合において、傘柄側の開口部を手元開口部と称し、傘先側の開口部を先方開口部と称するが、手元開口部及び、先方開口部のそれぞれの縁端から、少し内側の辺りに伸縮性の絞り部を設け、手元開口部側を手元絞り部と称し、先方開口部側を先方絞り部と称するのであるが、手元絞り部の近傍にひっかけ紐輪を設ける。
以上を特徴とする傘カバーである。
【考案の効果】
【０００６】  本考案は、大きく開かれた開口部より、濡れた傘に手を触れることなく、傘を簡単に傘カバーへ出し入れすることができる。
傘カバーの内側は吸水加工がされているので、傘の水滴が取れ、表面は撥水加工されていることにより体や衣服などへの濡れを防ぐことができる。
ひっかけ紐輪があることにより、座った時など傘の柄を持たなくても指等にひっかけておけば傘は倒れない。
携帯する時には小さく折りたため、ひっかけ紐輪により固定する事ができ、ほどけずカバンなどの中に収納可能であり、またひっかけ紐輪を傘の柄に付けておく事もできる。
簡単に裏返せるので乾燥させやすく、洗濯も可能であり、実用的かつファッション性にも優れた傘カバーである。
【図面の簡単な説明】
【０００７】
【図１】  本考案の外観斜視図
【図２】  本考案に濡れた傘を被せていく状態を示す部分斜視図
【図３】  本考案を取り付けた状態の実施例を示す斜視図
【図４】  本考案を折りたたんでいく手順を示す斜視図
【図５】  本考案が傘の柄に付けられている状態を示す斜視図
【考案を実施するための形態】
【０００８】  本考案の傘カバー（Ａ）は図１に示すような形態をしていて、裏生地に吸水性のある布と、表生地に撥水、または防水性のある布地を縫い合わせるという形か、または、防水性に優れ、且つ速乾性に富む生地の一枚仕立ての形で円筒状に形成され、円筒状の両端は開口され、傘カバー（Ａ）として装着した場合において、傘柄側の開口部を手元開口部（１）と称し、傘先側の開口部を先方開口部（２）と称するが、手元開口部（１）及び、先方開口部（２）のそれぞれの縁端から、少し内側の辺りに伸縮性ゴム紐（６）で絞り部を設け、手元開口部（１）側を手元絞り部（３）と称し、先方開口部（２）側を先方絞り部（４）と称するのであるが、手元絞り部（３）の近傍にひっかけ紐輪（５）を設ける。
本考案は以上のような形態であり、これを実際に使用する時は、図２に示す様に手元開口部（１）を広げ、傘（Ｂ）の先端より入れていく。
手元開口部（１）は、傘（Ｂ）が入りやすいように、大きく開かれている。そのため傘（Ｂ）は本体に付いているネームバンドで留めなくても、安易に入れることが出来る。
図３で示すように、手元絞り部（３）及び先方絞り部（４）が伸縮性ゴム紐（６）で絞られているので、傘（Ｂ）の太さに合わせて伸縮することが可能であり、傘（Ｂ）からのずれ落ちを防止する。
傘（Ｂ）を使用する時は手元開口部（１）より傘カバー（Ａ）を抜き、図４で示す様に手元開口部（１）と先方開口部（２）を、中心に向かって折り、それを更に合わせ折り、ひっかけ紐輪（５）を巻き、留める。
図５は傘（Ｂ）の使用中、傘（Ｂ）の柄に折りたたんだ傘カバー（Ａ）を、ひっかけ紐輪（５）で吊して持ち歩く時の図である。
このようにしておけば、再度利用する時に探さなくてもすぐに使用可能である。
尚、二つの絞り部の内、手元絞り部（３）とひっかけ紐輪（５）に関しては、伸縮性ゴム紐（６）などを用いた絞り部の近傍に、ひっかけ紐輪（５）を設けるという形や、絞り部に紐通しトンネルを設けて、その中に紐を通して、トンネルの外側に一定の輪ができる程を露出させおいて、その露出部分を引っ張って絞り、輪そのものが、ひっかけ紐輪（５）となるという形も効果においては大差ない。
【符号の説明】
【０００９】Ａ  傘カバー
Ｂ  傘
１  手元開口部
２  先方開口部
３  手元絞り部
４  先方絞り部
５  ひっかけ紐輪
６  伸縮性ゴム紐
【図１】
0003193510.tif 000003
【図２】
0003193510.tif 000004
【図３】
0003193510.tif 000005
【図４】
0003193510.tif 000006
【図５】
0003193510.tif 000007